(57)【特許請求の範囲】
【請求項１】
全体が蒲鉾形をしている郵便受箱本体の上面板に形成した透光窓に、この透光窓を塞ぐように透光機能を有する太陽電池を装着し、該太陽電池によって充電されるバッテリーを郵便受箱本体に装着するとともに、昼間は該太陽電池からの出力電流で該バッテリーへの充電のみを行い、夜間は該バッテリーで該郵便受箱本体内に設けた光源を点灯し、該光源の点灯で該郵便受箱本体の内部及び該郵便受箱本体の外表面に装着した表札部を内部から照明したことを特徴とする天窓付き郵便受箱。
【請求項２】
請求項１記載の天窓付き郵便受箱において、郵便受箱本体内の該表札部に面した対向空間を内カバーで区画して光源収納空間とし、該光源収納空間に設置された光源で該表札部を照明するとともに、該光源収納空間に連通して設けた透光性を有する外カバーを介して郵便受箱本体の足元を照明したことを特徴とする天窓付き郵便受箱。
【請求項３】
請求項１記載の天窓付き郵便受箱において、郵便受箱本体内の該表札部に面した対向空間を透光性を有する内カバーで区画して光源収納空間とし、該光源収納空間に設置された光源で該表札部を照明するとともに、該内カバーを介して郵便受箱本体の内部を照明したことを特徴とする天窓付き郵便受箱。
【請求項４】
請求項１記載の天窓付き郵便受箱において、郵便受箱本体内の該表札部に面した対向空間を内カバーで区画して光源収納空間とし、該光源収納空間に設置された光源で該表札部を照明するとともに、郵便物投入口から投入された郵便物を、取出口に向かって下降傾斜させて該内カバーに形成した傾斜面上を滑らせて郵便物収納空間内に収納したことを特徴とする天窓付き郵便受箱。
【請求項５】
請求項２乃至請求項４記載の天窓付き郵便受箱において、該光源で該内カバーに形成した透光孔を介して郵便受箱本体の郵便物収納空間内を照明したことを特徴とする天窓付き郵便受箱。
【請求項６】
請求項１記載の天窓付き郵便受箱において、表札部と内カバーとを半透明板で一体形成したことを特徴とする天窓付き郵便受箱。
【請求項７】
請求項１乃至請求項６記載の天窓付き郵便受箱において、太陽電池からの出力電圧が規定値以上の場合にのみバッテリーを充電し、太陽電池からの出力電圧が規定値未満のときは該バッテリーで光源を点灯させることを特徴とする天窓付き郵便受箱。
【発明の詳細な説明】
【０００１】
【発明の属する技術分野】
本発明は、天窓付き郵便受箱に係り、特に該天窓に透光機能を有する太陽電池を装着し、昼間は太陽光で郵便受箱本体内を照らし、夜間は該太陽電池で充電されたバッテリーで該郵便受箱本体内に装着された光源を点灯し、該郵便受箱本体の表札部と該郵便受箱本体の足元と郵便受箱本体の内部とを照明した天窓付き郵便受箱に関するものである。
【０００２】
【従来の技術】
従来の実開昭６３−１７６７９号公報に開示されている郵便受箱は、郵便受本体の上面板に太陽光を受光して起電する太陽電池を設け、該太陽電池の起電力を蓄電する蓄電池で該郵便受箱本体に設けられた発光可能な表札を発光させていた。しかしこの従来の郵便受箱はその内部が暗く郵便物の有無の判断をしにくいという問題があり、又、夜間は該表札は発光しているが郵便受箱の周囲を照らすのに必要な十分な明るさがなく、別途玄関灯や門灯が必要であった。
【０００３】
【発明が解決しようとする課題】
本発明は、郵便受箱本体内が昼間、夜間を問わず明るく、従って郵便受箱本体内に郵便物が在るかどうかの判定が容易で郵便物の取り出し忘れがなく、又、夜間においては郵便受箱本体の表札部を明るく表示するととも、郵便受箱本体の周囲も照らす照明機能を有し、門灯や玄関灯を必ずしも必要としない天窓付き郵便受箱を提供することを課題とする。
【０００４】
【課題を解決するための手段】
上記課題を解決するために請求項１記載の発明においては次の技術的手段を講じている。即ち、本発明の天窓付き郵便受箱は、全体が蒲鉾形をしている郵便受箱本体の上面板に形成した透光窓に、この透光窓を塞ぐように透光機能を有する太陽電池を装着し、該太陽電池によって充電されるバッテリーを郵便受箱本体に装着するとともに、昼間は該太陽電池からの出力電流で該バッテリーへの充電のみを行い、夜間は該バッテリーで該郵便受箱本体内に設けた光源を点灯し、該光源の点灯で該郵便受箱本体の内部及び該郵便受箱本体の外表面に装着した表札部を内部から照明したことを特徴とするものである。太陽電池は透光機能を有するので昼間は太陽光が郵便受箱本体の内部を照射する。
【０００５】
又、請求項２記載の天窓付き郵便受箱は、郵便受箱本体内の該表札部に面した対向空間を内カバーで区画して光源収納空間とし、該光源収納空間に設置された光源で該表札部を照明するとともに、該光源収納空間に連通して設けた透光性を有する外カバーを介して郵便受箱本体の足元を照明したことを特徴としている。即ち、夜間は該光源が表札部と郵便受箱本体の足元を照らすようにしている。
【０００６】
更に、請求項３記載の天窓付き郵便受箱は、郵便受箱本体内の該表札部に面した対向空間を透光性を有する内カバーで区画して光源収納空間とし、該光源収納空間に設置された光源で該表札部を照明するとともに、該内カバーを介して郵便受箱本体の内部を照明したことを特徴としている。即ち、夜間は該光源が表札部と郵便受箱本体の内部を照らすようにしている。
【０００７】
更に又、請求項４記載の天窓付き郵便受箱は、郵便受箱本体内の該表札部に面した対向空間を内カバーで区画して光源収納空間とし、該光源収納空間に設置された光源で該表札部を照明するとともに、郵便物投入口から投入された郵便物を、取出口に向かって下降傾斜させて該内カバーに形成した傾斜面上を滑らせて郵便物収納空間内に収納したことを特徴としている。従って、内カバーが投入された郵便物を取出口の近くに移動させるのである。
【０００８】
又、請求項５記載の天窓付き郵便受箱は、該光源で該内カバーに形成した透光孔を介して郵便受箱本体の郵便物収納空間内を照明したことを特徴としている。従って、郵便物収納空間内がより明るく照らされ郵便物の有無の判定が容易となる。
【０００９】
更に、請求項６記載の天窓付き郵便受箱は、表札部と内カバーとを半透明板で一体形成したことを特徴としている。従って部品点数が少なく組み立て容易な天窓付き郵便受箱となる。
【００１０】
又、請求項７記載の天窓付き郵便受箱は、太陽電池からの出力電圧が規定値以上の場合にのみバッテリーを充電し、太陽電池３からの出力電圧が規定値未満のときは該バッテリーで光源を点灯させることを特徴としている。従って、バッテリーへの充電、放電効率がよくなる。
【００１１】
【発明の実施の形態】
以下、請求項１乃至請求項７記載にかかる天窓付き郵便受箱の好ましい実施の形態について、図１乃至図３を参照してより詳細に説明する。図において、１は郵便受箱本体であり該実施例の郵便受箱本体１は全体がいわゆる蒲鉾形をしておりその底面中心部が支柱１５で支えられ、該支柱１５が郵便物を受け取るのに適した場所に立設される。２は郵便受箱本体１の上面板に形成した透光窓、３は該透光窓２を塞ぐように装着された太陽電池であり該太陽電池３は太陽光を受光して起電し、該太陽電池３の起電力をバッテリー４が蓄電する。１６は電気配線であり太陽電池３とバッテリー４及びバッテリー４と光源５との間が電気接続されている。該太陽電池３は透光機能を有しており該太陽電池３が太陽光を受光してバッテリー４を充電している最中においても、太陽光の一部は該太陽電池３を透光して郵便受箱本体１内を照射する。太陽光を郵便受箱本体１内に取込む手段は太陽電池３の一部に部分的に透明箇所を形成しておく等が選択されるが、太陽電池３の起電部自体に透光機能を持たせてもよい。又、太陽電池３の周囲の透光窓２の一部を介して太陽光を郵便受箱本体１内に取込んでもよい。
【００１２】
郵便受箱本体１の内部であって表札部６に面した対向空間を内カバー７で区画して光源収納空間８とし、該光源収納空間８に光源５が設置されている。内カバー７は半透明の材質で構成されており、光源５がバッテリー４で点灯されると該表札部６の文字部が外部から読み取れるよう照明される。図示した実施例においては、表札部６と内カバー７とを半透明板で一体形成している。内カバー７は郵便物投入口１０から投入された郵便物を、郵便物取出口１１から取り出し易くするために、該取出口に向かって下降傾斜させて形成した傾斜面１２を設け、該傾斜面１２には複数個の透光孔１４を設けている。従って、郵便物投入口１０から投入された郵便物は該傾斜面１２を滑って郵便物取出口１１に近付き該郵便物が取り出し易くなるとともに、該郵便物が該透光孔１４を塞ぐことが少なくなる。光源５がバッテリー４で点灯されると該透光孔１４を通過した光が郵便受箱本体１の郵便物収納空間１３を照らすのである。しかし、上記の如く内カバー７を半透明板で構成しているので、透光孔１４を設けない場合又は透光孔１４が郵便物で塞がれた場合でも、郵便物収納空間１３は光源５によって或る程度明るくを照らされる。
【００１３】
光源収納空間８の床面には貫通孔１７を介して半透光性材質からなる外カバー９が設けられており、光源５が点灯されると該貫通孔１７及び外カバー９を介して郵便受箱本体１の足元が照明されるのである。バッテリー４は郵便受箱本体１の底面に形成したバッテリー収納空間１８に収納されている。１９は郵便物投入口１０に回動自在に設けた蓋、２０は郵便物取出口１１に回動自在に設けた蓋である。
【００１４】
図３は上記実施例における電気系統を示すブロック図であり、同図において、２１は充放電保護回路、２２は昼夜判定回路、２３は点灯回路である。充放電保護回路２１は太陽電池３からの出力電圧を検知し該電圧が規定値以上の時はバッテリー４を充電し規定値以下のときは太陽電池３からの出力電流をバッテリー４に流さないように保護している。昼夜判定回路２２は光センサー等で外部の明るさを検知し、昼間はバッテリー４の放電電流を遮断するとともに、一定以上の暗さになると即ち夜間になるとバッテリー４の電圧が点灯回路２３に印加される。点灯回路２３にバッテリー４の電圧が印加されると光源５が点灯する。光源５が点灯すると上記の如く表札部６、郵便受箱本体１の内部及び透光性を有する外カバー９を介して郵便受箱本体１の足元が照明される。
【００１５】
【発明の効果】
請求項１に記載した天窓付き郵便受箱は、郵便受箱本体１の上面板に形成した透光窓２に透光機能を有する太陽電池３を装着し、該太陽電池３によって充電されるバッテリー４を郵便受箱本体１に装着とともに、昼間は該太陽電池３からの出力電流で該バッテリー４への充電のみを行い、夜間は該バッテリー４で該郵便受箱本体１内に設けた光源５を点灯し、該光源５の点灯で該郵便受箱本体１の内部及び該郵便受箱本体の外表面に装着した表札部６を内部から照明したから、郵便受箱本体１の内部は昼間は太陽光で照らされ夜間は光源５で照らされ昼夜を問わず郵便受箱本体１の内部が明るくなり郵便物有無の確認の視認性を向上させることができる。
【００１６】
又、請求項２に記載した天窓付き郵便受箱は、請求項１が有する効果に加え、郵便受箱本体１内の該表札部６に面した対向空間を内カバー７で区画して光源収納空間８とし、該光源収納空間８に設置された光源５で該表札部６を照明するとともに、該光源収納空間８に連通して設けた透光性を有する外カバー９を介して郵便受箱本体１の足元を照明しているから、夜間において、一つの光源５で表札部６と郵便受箱本体１の足元との双方を照らすことができる。
【００１７】
更に、請求項３に記載した天窓付き郵便受箱は、請求項１が有する効果に加え、郵便受箱本体１内の該表札部６に面した対向空間を透光性を有する内カバー７で区画して光源収納空間８とし、該光源収納空間８に設置された光源５で該表札部６を照明するとともに、該内カバー７を介して郵便受箱本体１の内部を照明しているから、夜間において、一つの光源で表札部６と郵便受箱本体１の内部との双方を照らすことができる。
【００１８】
更に又、請求項４に記載した天窓付き郵便受箱は、請求項１が有する効果に加え、郵便受箱本体１内の該表札部６に面した対向空間を内カバー７で区画して光源収納空間８とし、該光源収納空間８に設置された光源５で該表札部６を照明するとともに、郵便物投入口１０から投入された郵便物を、取出口１１に向かって下降傾斜させて該内カバー７に形成した傾斜面１２上を滑らせて郵便物収納空間１３内に収納しているから、内カバー７が投入された郵便物が取出口１１の近くに移動させられ郵便物を取り出し易くなり且つ郵便物が該郵便物収納空間１３内で詰まりにくいという効果がある。
【００１９】
又、請求項５に記載した天窓付き郵便受箱は、請求項１乃至請求項４が有する効果に加え、該光源５で該内カバー７に形成した透光孔１４を介して郵便受箱本体１の郵便物収納空間１３内を照明しているから、夜間において、郵便物収納空間１３内がより一層明るく照らされ郵便物の有無の判定が容易となるという効果がある。
【００２０】
更に、請求項６に記載した天窓付き郵便受箱は、請求項１が有する効果に加え、表札部６と内カバー７とを半透明板で一体形成しているから、部品点数が少なく組み立て容易な天窓付き郵便受箱となる。
【００２１】
更に又、請求項７に記載した天窓付き郵便受箱は、請求項１乃至請求項６が有する効果に加え、太陽電池３からの出力電圧が規定値以上の場合にのみバッテリー４を充電し、太陽電池３からの出力電圧が規定値未満のときは該バッテリー４で光源５を点灯させているから、バッテリー４への充電、放電効率がよくなり、光源５の点灯効率もよくなるという効果がある。
【図面の簡単な説明】
【図１】本発明に係る天窓付き郵便受箱の一実施例を示す一部切欠断面図。
【図２】図１に示した実施例の一部切欠斜視図。
【図３】上記実施例における電気系統を示すブロック図。
【符号の説明】
１          郵便受箱本体
２          透光窓
３          太陽電池
４          バッテリー
５          光源
６          表札部
７          内カバー
８          光源収納空間
９          外カバー
１０        郵便物投入口
１１        郵便物取出口
１２        傾斜面
１３        郵便物収納空間
１４        透光孔
１５        支柱
１６        電気配線
１７        貫通孔
１８        バッテリー収納空間
１９        蓋
２０        蓋
２１        充放電保護回路
２２        昼夜判定回路
２３        点灯回路
【図１】
0004686948.tif 000002
【図２】
0004686948.tif 000003
【図３】
0004686948.tif 000004